Podtech/llm-jp-corpus-v4-ja_patent huggingface dataset:
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
以下のものを含有する、連続インクジェット印刷用の水性インクジェット用インク組成物：
分散顔料粒子、
総保湿剤濃度が０〜１０重量％である保湿剤、
有機アミンの酸性塩、および
付加的な遊離有機アミン、
ただし、該有機アミンの酸性塩と該付加的な遊離有機アミンは、緩衝化したｐＨが８よりも大きくなり、２５℃での抵抗率が５００オーム-ｃｍ未満となうような濃度と相対的比率で存在し、該有機アミンの酸性塩を形成するのに使用される酸の当量に対する有機アミンの当量の比は、１.１：１.０よりも高い。
【請求項２】
有機アミンの酸性塩を形成するのに使用される酸が６.５未満のｐＫａを有し、該酸のｐＫａが、形成された有機アミンの酸性塩のｐＫａよりも少なくとも２単位低い、請求項１に記載のインクジェット用インク組成物。
【請求項３】
顔料がポリマー分散剤で分散される請求項１に記載のインクジェット用インク組成物。
【請求項４】
有機アミンの酸性塩と有機アミンが１種以上の第三級アルカノールアミンを含有する請求項１に記載のインクジェット用インク組成物。
【請求項５】
下記の工程を含む、連続インクジェットプリンターにおいてインクを補充するための方法；
連続インクジェットプリンターの主たるインク供給部から得られるインクまたは該供給部中のインクの抵抗率を計測すること、および
インクの測定された抵抗率の関数として、補充キャリア流体供給部からのキャリア流体および追加インク供給部からのインクで、インクジェットプリンターの主たるインク供給部中のインクを補充すること、
ただし、主たるインク供給部と追加インク供給部中のインクは、請求項１に記載のインクを含有する。
【請求項６】
下記の工程を含む、連続インクジェット印刷方法：
Ａ）連続インクジェットプリンターの主たる流体供給部へ、
総保湿剤濃度が０〜１０重量％である保湿剤と、有機アミンの酸性塩と付加的な遊離有機アミンとを含有する水性流体組成物を供給すること；
ただし、該有機アミンの酸性塩と該付加的な遊離有機アミンは、緩衝化したｐＨが８よりも大きくなり、２５℃での抵抗率が５００オーム-ｃｍ未満となうような濃度と相対的比率で存在し、該有機アミンの酸性塩を形成するのに使用される酸の当量に対する有機アミンの当量の比が、１.１：１.０よりも高く、
Ｂ）液滴形成機構から流体組成物の液滴の連続流を噴出すること、および
Ｃ）制御機構から受信された電気信号に応じて、基材をマーキングする印刷流体液滴と、
回収され、主たる供給部へ戻され、および主たる流体供給部中の流体組成物の抵抗率の関数として補充される非印刷流体液滴から選択すること。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
（ａ）高温にされた金属塊と混合された廃棄物の熱分解が達成される炉であって、前記廃棄物及び前記金属塊用の注入口並びに熱分解ガス用の排気口を有する前記炉と、（ｂ）熱分解された残渣と前記金属塊を分離するシステムと、（ｃ）新たな熱分解ガス化サイクルのために前記金属塊を再加熱するための炉とを用いるタイプの有機廃棄物の熱分解ガス化のための方法であって、前記金属塊がステンレス鋼製トロイド（２）からなることを特徴とする上記方法。
【請求項２】
前記トロイド（２）がニッケル及びコバルトを含むことを特徴とする、請求項１に記載の方法。
【請求項３】
前記トロイド（２）の内径が１５〜１００ｍｍの間であり、外径が５０〜１５０ｍｍの間であることを特徴とする、請求項１又は２の一項に記載の方法。
【請求項４】
熱分解ガス排気口（６）が、前記熱分解が達成される炉（１）のより下部に設置されていることを特徴とする、請求項１から３までのいずれか一項に記載の方法。
【請求項５】
前記排気口（６）に、前記炉（１）内部にわずかに陰圧を生じるシステムが備わっていることを特徴とする、請求項４に記載の方法。
【請求項６】
前記熱分解が達成される炉（１）の下部に備わっているものが、トロイド（２）及び熱分解残渣の放出速度を調節する装置（１０）であることを特徴とする、請求項１から５までのいずれか一項に記載の方法。
【請求項７】
前記熱分解された残渣と前記トロイド（２）を分離するシステム（１１）が、前記残渣及び前記トロイド（２）を炉（１）の下部から炉（９）の下部へと運び、前記トロイド（２）の再加熱を可能にするアルキメディアン・スクリュー（１５）を有し、その間、前記熱分解された残渣が、前記スクリュー（１５）の下にその相当な長さに亘って配置されたふるい（１４）を通過することによって容器（１７）内に回収されることを特徴とする、請求項１から６までのいずれか一項に記載の方法。
【請求項８】
前記トロイド（２）の再加熱を可能にする炉（９）が、バーナー（８）と、前記バーナー（８）を用いて再加熱された前記トロイド（２）が炉（１）上部の上方レベルへと運ばれるのを可能にするアルキメディアン・スクリュー（１８）とを備えていることを特徴とする、請求項１から７までのいずれか一項に記載の方法。
【請求項９】
前記スクリュー（１８）の螺旋が、その螺旋から軸（２０）を絶縁する軸ざや（２１）によって前記スクリュー（１８）を駆動する前記軸（２０）から分離されている、請求項８に記載の方法。
【請求項１０】
前記炉（１）と、前記分離システム（１１）と、前記炉（９）が、それぞれ、直角三角形の直角の辺とその斜辺を形成していて、前記炉（１）が垂直である、請求項１から９までのいずれか一項に記載の方法。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
金属表面上に保護コーティングを形成するための組成物であって、前記組成物は、
水；
Ｃｒ2（ＧＦ6）3 （式中、Ｇは第ＩＶ−Ｂ族元素である）；及び
複数のカルボン酸基を有する少なくとも１種のポリマー及び複数のヒドロキシル基を有する少なくとも１種のポリマー、並びに／又はカルボン酸基とヒドロキシル基の両方を複数有する少なくとも１種のポリマー、
を含み、前記組成物は、クロムに対して５００ｐｐｍ未満のアルカリ金属イオン及び２００ｐｐｍ未満のハロゲン化物イオンを含む組成物。
【請求項２】
前記組成物は、ｓ−ジフェニルカルバジドを使用してクロム（ＶＩ）に対して陰性の試験結果を与える、請求項１に記載の組成物。
【請求項３】
前記組成物は、１種又は２種以上の混入イオンを含み、前記１種又は２種以上の混入イオンのそれぞれがクロムに対して１０００ｐｐｍ未満で存在する、請求項１又は２に記載の組成物。
【請求項４】
Ｇがジルコニウムである、請求項１〜３のいずれか一項に記載の組成物。
【請求項５】
前記組成物が、２．４：１〜３．０：１の範囲内のＺｒ：Ｃｒ質量比を有する、請求項４に記載の組成物。
【請求項６】
Ｇがチタンである、請求項１〜３のいずれか一項に記載の組成物。
【請求項７】
複数のカルボン酸基を有する前記少なくとも１種のポリマー及び複数のヒドロキシル基を有する前記少なくとも１種のポリマーを含み、前記ポリマーがそれぞれメチルビニルエーテルマレイン酸コポリマー及びポリビニルアルコールである、請求項１〜６のいずれか一項に記載の組成物。
【請求項８】
複数のカルボン酸基を有する前記少なくとも１種のポリマー及び複数のヒドロキシル基を有する前記少なくとも１種のポリマーを含み、前記ポリマーがそれぞれポリアクリル酸及びポリビニルアルコールである、請求項１〜６のいずれか一項に記載の組成物。
【請求項９】
金属表面上に保護コーティングを形成する方法であって、前記金属表面に組成物を接触させ、その後、前記接触された金属表面を乾燥させることを含み、前記組成物は、
水；
Ｃｒ2（ＧＦ6）3 （式中、Ｇは第ＩＶ−Ｂ族元素である）；及び
複数のカルボン酸基を有する少なくとも１種のポリマー及び複数のヒドロキシル基を有する少なくとも１種のポリマー、並びに／又はカルボン酸基とヒドロキシル基の両方を複数有する少なくとも１種のポリマー、
を含み、前記組成物は、クロムに対して５００ｐｐｍ未満のアルカリ金属イオン及び２００ｐｐｍ未満のハロゲン化物イオンを含む、金属表面上に保護コーティングを形成する方法。
【請求項１０】
式Ｈ2ＧＦ6（式中、Ｇは第ＩＶ-Ｂ族元素である）により表される少なくとも１種の酸の存在下で水及びクロム（ＶＩ）化合物を含む混合物に過酸化水素を加えることを含む、クロム（ＩＩＩ）化合物の水性組成物の製造方法。
【請求項１１】
溶解したＣｒ2（ＧＦ6）3 （式中、Ｇは第ＩＶ−Ｂ族元素である）を含み、かつ、クロムに対して５００ｐｐｍ未満のアルカリ金属イオン及び２００ｐｐｍ未満のハロゲン化物イオンを含み、ｓ−ジフェニルカルバジドを使用してクロム（ＶＩ）に対して陰性の試験結果を与え、１種又は２種以上の混入イオンを含み、前記１種又は２種以上の混入イオンのそれぞれがクロムに対して１０００ｐｐｍ未満で存在する、水性組成物。
【請求項１２】
Ｇがジルコニウムである、請求項１１に記載の組成物。
【請求項１３】
金属表面の処理方法であって、前記金属表面に、溶解したＣｒ2（ＧＦ6）3 （式中、Ｇは第ＩＶ−Ｂ族元素である）を含み、かつ、クロムに対して合計で５００ｐｐｍ未満のアルカリ金属イオン及び２００ｐｐｍ未満のハロゲン化物イオンを含む水性組成物を接触させることを含む、金属表面の処理方法。
【請求項１４】
前記水性組成物が１種又は２種以上の混入イオンを含み、前記１種又は２種以上の混入イオンのそれぞれがクロムに対して１０００ｐｐｍ未満で存在する、請求項１３に記載の方法。
【請求項１５】
濯ぎ工程を挟まずに金属表面上の前記組成物を乾燥させることをさらに含む、請求項１３又は１４に記載の方法。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
１つ以上の化学物質をパルプ製造過程のプロセスの流れに供給するための方法であって：
ａ．以下を含む１つ以上の混合装置を提供すること；１つ以上の注入口及び出口を有する第一の導管；１つ以上の注入口及び出口を有する第二の導管であって、前記第一の導管は第二の導管を固定し及び前記第二の導管を横切り；１つ以上の注入口及び出口を有する混合槽であって、前記第二の導管は前記混合槽を固定し、及び前記第一の導管の出口及び前記第二の導管の出口は、前記混合槽に連通し；及びアダプターであって、前記アダプターは前記混合槽の出口に連通し、及び前記混合槽に固定し；
ｂ．前記アダプターを含む前記装置をパルプ製造過程の開口部の上に取り付けること；
ｃ．プロセスの流れが、前記パルプ製造過程を通じて流れるようにパルプ製造過程を操業すること；
ｄ．１つ以上の化学物質又は供給液体を、前記装置の前記第一の導管の前記注入口、及び前記第二の導管の前記注入口中に導入することにより、前記化学物質及び前記供給液体を、前記装置の前記混合槽に導入すること；
ｅ．前記化学物質及び前記供給液体の混合物を形成するために、前記装置の前記混合槽中の前記化学物質及び前記供給液体を混合すること；及び
ｆ．前記混合物を前記パルプ製造過程の前記プロセスの流れの中に、前記プロセス流と連通する前記装置の前記アダプターを介して分注すること、とを含む方法。
【請求項２】
１つ以上の化学物質をパルプ製造過程のプロセスの流れに供給するための方法であって：
ａ．以下を含む１つ以上の混合装置を提供すること；１つ以上の注入口及び出口を有する第一の導管；１つ以上の注入口及び出口を有する第二の導管であって、前記第一の導管は第二の導管を固定し及び前記第二の導管を横切り；１つ以上の注入口及び出口を有する混合槽であって、前記第二の導管は前記混合槽を固定し、及び前記第一の導管の出口及び前記第二の導管の出口は、前記混合槽に連通し；及びアダプターであって、前記アダプターは前記混合槽の出口に連通し、及び前記混合槽に固定し；
ｂ．前記アダプターを含む前記装置をパルプ製造過程の開口部の上に取り付けること；
ｃ．パルプ製造過程を操業すること；
ｄ．１つ以上の化学物質又は供給液体の混合物を形成するために、前記化学物質及び前記供給液体を前記装置に導入することにより、前記化学物質及び前記供給液体を前記装置の前記混合槽に導入すること；及び
ｅ．前記混合物を前記プロセスの流れの中に分注すること、とを含む方法。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
・１本以上の補強用スレッド；
・前記単数または複数のスレッドを被覆する、ガラス転移温度がプラスである熱可塑性ポリマーの第１層；および、
・前記第１層を被覆する、ガラス転移温度がマイナスである官能化不飽和熱可塑性スチレンエラストマーを含む第２層、
を含み、
該エラストマーがエポキシド、カルボキシルおよび酸無水物またはエステル基から選ばれる官能基を含有する、複合補強材。
【請求項２】
前記熱可塑性ポリマーのガラス転移温度が、＋20℃よりも高い、請求項１記載の補強材。
【請求項３】
前記不飽和熱可塑性スチレンエラストマーのガラス転移温度が、−20℃よりも低い、請求項１または２記載の補強材。
【請求項４】
前記熱可塑性ポリマーと前記不飽和熱可塑性スチレンエラストマーとのガラス転移温度の差が、60℃よりも大きい、請求項１〜３のいずれか１項記載の補強材。
【請求項５】
前記熱可塑性ポリマーが、脂肪族ポリアミド、またはポリエステルである、請求項１〜４のいずれか１項記載の補強材。
【請求項６】
前記熱可塑性エラストマーが、スチレンブロックとジエンブロックを含むコポリマーである。請求項１〜５のいずれか１項記載の補強材。
【請求項７】
前記熱可塑性エラストマーが、エポキシ化エラストマーである、請求項１〜６のいずれか１項記載の補強材。
【請求項８】
請求項１〜７のいずれか１項記載の複合補強材を含むゴム物品または半製品。
【請求項９】
請求項１〜７のいずれか１項記載の複合補強材を含む空気式タイヤ。
【請求項１０】
少なくとも下記の工程を含むことを特徴とする、ジエンゴムマトリックスに接着させることのできる請求項１〜７のいずれか１項記載の複合補強材の製造方法：
・少なくとも１本の補強用スレッドを、プラスのガラス転移温度を有する前記熱可塑性ポリマーの層で被覆する工程；
・マイナスのガラス転移温度を有する前記官能化不飽和熱可塑性スチレンエラストマーを含む第２層を、そのようにして被覆した前記スレッド上に付着させる工程であって、前記エラストマーは、エポキシド、カルボキシルおよび酸無水物またはエステル基から選ばれる官能基を含有する工程；および、
・アッセンブリを熱‐酸化処理に供して前記２つの層を一緒に結合させる工程。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
糸球体腎炎の治療のための、式（Ｉ）の化合物またはその塩を含む組成物。
Ｒ−Ｌ−ＣＯ−Ｘ（Ｉ）
（式中、Ｒは、場合によってはＳ、Ｏ、Ｎ、ＳＯ、ＳＯ2から選ばれる１個以上のヘテロ原子またはヘテロ原子の群によって割り込まれていてもよいＣ10-24不飽和炭化水素基であり、当該炭化水素基は、少なくとも４個の非共役二重結合を含み；
Ｌは、Ｒ基と前記カルボニルＣＯとの間に原子を１〜５個有する橋状結合を形成する連結基であり；
Ｘは、電子求引基である。）
【請求項２】
前記炭化水素基が、二重結合を５〜７個有する、請求項１に記載の組成物。
【請求項３】
二重結合が前記カルボニル基と共役していない、請求項１または２に記載の組成物。
【請求項４】
二重結合がいずれもシス配置である、請求項１〜３のいずれか一項に記載の組成物。
【請求項５】
前記カルボニル基に最も近い二重結合を除く、すべての二重結合がシス配置である、請求項１〜３のいずれか一項に記載の組成物。
【請求項６】
Ｒ基が炭素原子を１７〜１９個含む、請求項１〜５のいずれか一項に記載の組成物。
【請求項７】
連結基Ｌが、−ＣＨ2−、−ＣＨ（Ｃ1-6アルキル）−、−Ｎ（Ｃ1-6アルキル）−、−ＮＨ−、−Ｓ−、−Ｏ−、−ＣＨ＝ＣＨ−、−ＣＯ−、−ＳＯ−、または−ＳＯ2−を含み、これらは、（化学的に意味のある）任意の順番で互いに組み合わされて連結基を形成していてもよい、請求項１〜６のいずれか一項に記載の組成物。
【請求項８】
Ｌが、少なくとも１つのＯ、Ｓ、Ｎ、またはＳＯを含む、請求項１〜７のいずれかに記載の組成物。
【請求項９】
Ｌ基が、下記の環のひとつを含む、請求項１〜６のいずれか一項に記載の組成物。
【化１１】
2012528813.tif 000001
【請求項１０】
Ｌが、−ＮＨ2ＣＨ2、−ＮＨ（Ｍｅ）ＣＨ2−、−ＳＣＨ2−、−ＳＯＣＨ2−、−ＣＯＣＨ2−、−ＣＨ（Ｍｅ）、−ＣＨ（Ｍｅ）ＣＨ2−、−ＣＨ（Ｍｅ）−ＣＨ（Ｍｅ）−、２，４−チオフェン、または２，５−チオフェンである、請求項１〜９のいずれかに記載の組成物。
【請求項１１】
Ｘが、Ｏ−Ｃ1-6アルキル、ＣＮ、ＯＣＯ2−Ｃ1-6アルキル、フェニル、ＣＨａｌ3、ＣＨａｌ2Ｈ、またはＣＨａｌＨ2であり、Ｈａｌが、ハロゲンを表す、請求項１〜１０のいずれかに記載の組成物。
【請求項１２】
ＸがＣＨａｌ3である、請求項１〜１１のいずれかに記載の組成物。
【請求項１３】
前記化合物が、下記式を有する、請求項１に記載の組成物。
【化１２】
2012528813.tif 000002
【請求項１４】
前記化合物が、式（Ｉ’）
Ｒ−Ｙ１−Ｙ２−ＣＯ−Ｘ
（式中、ＲおよびＸは、上に定義のとおりであり；
Ｙ１は、Ｏ、Ｓ、ＮＨ、Ｎ（Ｃ1-6−アルキル）、ＳＯ、またはＳＯ2から選ばれ、Ｙ２は、（ＣＨ2）nまたはＣＨ（Ｃ1-6アルキル）であるか；あるいは、
Ｙ１およびＹ２は、一緒になって５員または６員の単素または複素の、場合によって不飽和または芳香性であってもよい、環を形成するか；あるいは、
Ｙ１は、５員または６員の単素または複素の、場合によって不飽和または芳香性であってもよい、環を形成し、Ｙ２は（ＣＨ2）nであり；
ここでｎは、１〜３である）
を有する、請求項１〜１３のいずれかに記載の組成物。
【請求項１５】
式（Ｉ’’）の化合物。
Ｒ−Ｙ１−Ｙ２−ＣＯ−Ｘ  （Ｉ’’）
（式中、ＲおよびＸは、請求項１に定義のとおりであり；
Ｙ１およびＹ２は、一緒になって５員または６員の単素または複素の、場合によって不飽和または芳香性であってもよい、環を形成するか；あるいは
Ｙ１は、５員または６員の単素または複素の、場合によって不飽和または芳香性であってもよい、環を形成し、Ｙ２は（ＣＨ2）nであり；
ここでｎは、１〜３である）
【請求項１６】
式（ＩＩ）の化合物
ＲＮ（Ｃ1-6アルキル）（ＣＨ2）nＣＯＸ  （ＩＩ）
（式中Ｒ、ｎ、およびＸは、請求項１５で定義したとおりである）。
【請求項１７】
式（ＩＩＩ）の化合物。
Ｒ−Ｌ’−ＣＯ−Ｘ  （ＩＩＩ）
（式中、ＲおよびＸは、請求項１に定義のとおりであり、Ｌ’は、Ｒ基と前記カルボニルＣＯとの間に原子を１〜５個有する橋状結合を形成する連結基を表し、当該Ｌ’連結基は環構造を含む）
【請求項１８】
式（ＩＶ）または（Ｖ）を有する、請求項１７に記載の化合物。
【化１３】
2012528813.tif 000003
（式中、ｎは、１〜３である）
【請求項１９】
式（ＶＩ）
ＲＳ（Ｃ1-6アルキル）ＣＨ2−ＣＯＸ+Ｚ-
（式中、ＲおよびＸは、上に定義のとおりであり、Ｚは、対イオンである）の化合物。
【請求項２０】
少なくとも１種の薬学的に許容される賦形剤と組み合わせた、請求項１５〜１９のいずれか一項に記載の化合物を含む医薬組成物。
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
下記の式(I)に相応する有機金属化合物：
【化１】
2012528811.tif 000001
式 I
(式中、
・Mは、Be、Mg、Sr、BaおよびRaから選ばれる、周期表の第II族に属する金属であり；
・R1、R2、R3、R4は、互いに同一または異なるものであって、水素原子または線状もしくは枝分れのアルキル置換基またはアリール置換基であり、これらの基は、置換されているかまたは置換されてなく、必要に応じて一緒に結合して5個または6個の原子からなる少なくとも1個の環または少なくとも1個の芳香環を形成し；
・RおよびR'は、互いに同一または異なるものであって、置換されているかまたは置換されていない、線状もしくは枝分れのアルキル置換基またはアリール置換基を示し；
・Lは、ルイス塩基であり；
・xは、0、1、2、3または4に等しい整数であり；
・mは、0〜3の範囲にある値を有する整数であり；
・nは、1〜3の範囲にある値を有する整数である)。
【請求項２】
下記の工程を含むことを特徴とする、請求項１記載の式(I)の有機金属化合物の製造方法：
(a) アルカリ金属をベースとし且つ下記の式(II)に相応する塩を合成する工程：
【化２】
2012528811.tif 000002
式 II
(式中、R1、R2、R3、R4、R、R'、nおよびmは、請求項１において定義したとおりであり；Zは、リチウム、ナトリウムまたはカリウム原子である)；
(b) 工程(a)において得られた式(II)の化合物を、周期表の第II族に属する金属の塩と反応させる工程；
(c) 得られた式(I)の有機金属化合物を回収する工程。
【請求項３】
工程(a)において、前記アルカリ金属塩を、有機リチウムおよびカリウムアルコラートの存在下にジメチルアミノトルエンから出発して合成する、請求項２記載の製造方法。
【請求項４】
下記の式(III)の有機金属化合物の、希土類金属塩をベースとする重合用触媒系中のアルキル化共触媒としての使用：
【化３】
2012528811.tif 000003
式 III
(式中、
・Mは、周期表の第II族に属する金属であり；
・R1、R2、R3、R4は、互いに同一または異なるものであって、水素原子または線状もしくは枝分れのアルキル置換基またはアリール置換基であり、これらの基は、置換されているか或いは置換されてなく、必要に応じて一緒に結合して5個または6個の原子からなる少なくとも1個の環または少なくとも1個の芳香環を形成し；
・RおよびR'は、互いに同一または異なるものであって、置換されているかまたは置換されていない、線状もしくは枝分れのアルキル置換基またはアリール置換基を示し；
・Lは、ルイス塩基であり；
・xは、0、1、2、3または4に等しい整数であり；
・mは、0〜3の範囲にある値を有する整数であり；
‐nは、1〜3の範囲にある値を有する整数である)。
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
アドレナリン作動性化合物（ここで、アドレナリン作動性化合物は、エピネフリン又はその生理学的に許容な塩である）と、重亜硫酸塩、メタ重亜硫酸塩及び亜硫酸塩の化合物からなる群から選択される少なくとも１つの酸化防止剤とを含む液体医薬組成物であって、
亜硫酸塩の当量として測定される、アドレナリン作動性化合物の少なくとも１つの酸化防止剤に対するモル比が、０．７０〜１．３０の範囲内であり、そして
前記液体組成物のｐＨが、２．０〜５．０の範囲内である液体医薬組成物。
【請求項２】
酸化防止剤が、重亜硫酸ナトリウム及びメタ重亜硫酸ナトリウムからなる群から選択される請求項１に記載の医薬組成物。
【請求項３】
酸化防止剤が、メタ重亜硫酸ナトリウムである請求項１又は２に記載の医薬組成物。
【請求項４】
少なくとも１つのアドレナリン作動性化合物の少なくとも１つの酸化防止剤に対するモル比が、０．７５〜１．２５、好ましくは０．８０〜１．２０、より好ましくは０．８５〜１．１５、さらに好ましくは０．９０〜１．１０、そして最も好ましくは０．９５〜１．０５の範囲内である請求項１〜３のいずれか１つに記載の医薬組成物。
【請求項５】
２．５〜４．５、好ましくは３．０〜４．０、より好ましくは３．１〜３．７、そして最も好ましくは３．２〜３．６の範囲内のｐＨを有する請求項１〜４のいずれか１つに記載の医薬組成物。
【請求項６】
ｐＨが、３．３〜３．５の範囲内、より好ましくは３．４である請求項５に記載の医薬組成物。
【請求項７】
１以上の賦形剤又は添加剤をさらに含む請求項１〜６のいずれか１つに記載の医薬組成物。
【請求項８】
酒石酸エピネフリン                ２．０ｍｇ／ｍｌ
塩化ナトリウム                    ６．０ｍｇ／ｍｌ
メタ重亜硫酸ナトリウム            ０．５７ｍｇ／ｍｌ
ＨＣｌ／ＮａＯＨ                  約ｐＨ３．４
注入のための水                    約１．０ｍｌ
を含む請求項１〜７のいずれか１つに記載の医薬組成物。
【請求項９】
アドレナリン作動性化合物（ここで、アドレナリン作動性化合物は、エピネフリン又はその生理学的に許容な塩である）と、重亜硫酸塩、メタ重亜硫酸塩及び亜硫酸塩の化合物からなる群から選択される少なくとも１つの酸化防止剤とを含む液体医薬組成物であって、
亜硫酸塩の当量として測定される、アドレナリン作動性化合物の少なくとも１つの酸化防止剤に対するモル比が、０．７０〜１．３０の範囲内であり、そして
前記液体組成物のｐＨが、２．０〜５．０の範囲内である、医薬として使用するための液体医薬組成物。
【請求項１０】
ｉ）アドレナリン作動性化合物（ここで、アドレナリン作動性化合物は、エピネフリン又はその生理学的に許容な塩である）の溶液を供給し、
ｉｉ）重亜硫酸塩、メタ重亜硫酸塩、及び亜硫酸塩の化合物からなる群から選択される少なくとも１つの酸化防止剤を加え、
ｉｉｉ）そのｐＨを、任意に酸又は塩基を加えて、２．０〜５．０の範囲内の値に調整する工程を含み、
亜硫酸塩の当量として測定される、アドレナリン作動性化合物の少なくとも１つの酸化防止剤に対するモル比が、０．７０〜１．３０の範囲内である、アドレナリン作動性化合物を含む液体医薬組成物を安定化させるための方法。
【請求項１１】
アドレナリン作動性化合物（ここで、アドレナリン作動性化合物は、エピネフリン又はその生理学的に許容な塩である）を含む液体医薬組成物の安定化のための、重亜硫酸塩、メタ重亜硫酸塩、及び亜硫酸塩の化合物からなる群から選択される少なくとも１つの酸化防止剤の使用であって、
亜硫酸塩の当量として測定される、アドレナリン作動性化合物の少なくとも１つの酸化防止剤に対するモル比が、０．７０〜１．３０の範囲内であり、そして
前記液体組成物のｐＨが、２．０〜５．０の範囲内である使用。
【請求項１２】
ｉ）アドレナリン作動性化合物（ここで、アドレナリン作動性化合物は、エピネフリン又はその生理学的に許容な塩である）と、重亜硫酸塩、メタ重亜硫酸塩及び亜硫酸塩の化合物からなる群から選択される少なくとも１つの酸化防止剤とを含む液体医薬組成物であって、
亜硫酸塩の当量として測定される、アドレナリン作動性化合物の少なくとも１つの酸化防止剤に対するモル比が、０．７０〜１．３０の範囲内であり、そして
前記液体組成物のｐＨが、２．０〜５．０の範囲内である液体医薬組成物、及び
ｉｉ）投与デバイス
を含むキット。
【請求項１３】
投与デバイスが、アンプル又は自動注入装置である請求項１２に記載のキット。
【請求項１４】
アドレナリン作動性化合物（ここで、アドレナリン作動性化合物は、エピネフリン又はその生理学的に許容な塩である）と、重亜硫酸塩、メタ重亜硫酸塩及び亜硫酸塩の化合物からなる群から選択される少なくとも１つの酸化防止剤とを含む液体医薬組成物であって、
亜硫酸塩の当量として測定される、アドレナリン作動性化合物の少なくとも１つの酸化防止剤に対するモル比が、０．７０〜１．３０の範囲内であり、そして
前記液体組成物のｐＨが、２．０〜５．０の範囲内である、アドレナリン作動性化合物の必要な特定の人の、アドレナリン作動性化合物を必要とする病状の少なくとも１つの症状を改善することで使用するための液体医薬組成物。
【請求項１５】
アドレナリン作動性化合物（ここで、アドレナリン作動性化合物は、エピネフリン又はその生理学的に許容な塩である）と、重亜硫酸塩、メタ重亜硫酸塩及び亜硫酸塩の化合物からなる群から選択される少なくとも１つの酸化防止剤とを含む液体医薬組成物であって、
亜硫酸塩の当量として測定される、アドレナリン作動性化合物の少なくとも１つの酸化防止剤に対するモル比が、０．７０〜１．３０の範囲内であり、そして
前記液体組成物のｐＨが、２．０〜５．０の範囲内である、アドレナリン作動性化合物の必要な特定の人の、アナフィラキシーを治療することで使用するための液体医薬組成物。
【請求項１６】
アドレナリン作動性化合物（ここで、アドレナリン作動性化合物は、エピネフリン又はその生理学的に許容な塩である）と、重亜硫酸塩、メタ重亜硫酸塩及び亜硫酸塩の化合物からなる群から選択される少なくとも１つの酸化防止剤とを含む液体医薬組成物の使用であって、
亜硫酸塩の当量として測定される、アドレナリン作動性化合物の少なくとも１つの酸化防止剤に対するモル比が、０．７０〜１．３０の範囲内であり、そして
前記液体組成物のｐＨが、２．０〜５．０の範囲内である、特定の人のアナフィラキシーの治療用医薬の製造のための使用。
【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
式(I)の化合物
【化１】
2012528836.tif 000001
および薬学的に許容されるその塩[式中、
sおよびpは、sが1の場合はpが0であり(ペルヒドロキノリンを形成する)、sが0の場合はpが1である(ペルヒドロイソキノリンを形成する)ように、逆の方式で0〜1から選択される整数であり、
Yは、CO、CSおよびSO2から選択されるビラジカルであり、
W1およびW2は、独立に、結合またはO、SおよびNR1から選択されるビラジカルであってよく、R1は、H、C1〜4アルキルおよびC3〜10シクロアルキルから選択され、
nは、0、1、2、3および4から選択される整数であり、
Vは、-CO-T、-CS-Tおよび-SO2-Tから選択されるラジカル、または
【化２】
2012528836.tif 000002
から選択されるラジカルであってよく、
Tは、NR2R3、R2、OR2およびSR2から選択される基、または
【化３】
2012528836.tif 000003
から選択される基であり、
R2およびR3は、独立に、H、COR4、SO2R4、C1〜4アルキル、アリール、ベンジル、フェネチル、C2〜4アルケニル、C2〜4アルキニル、C3〜10シクロアルキルまたは複素環から選択され、
R2またはR3が、アルキルまたはアルケニルである場合、これらは、F、OR4、NR4R5、COOR4、CONR4R5、C3〜10シクロアルキル、アリールおよび複素環から独立に選択される1つまたは複数の置換基により任意選択により置換されていてよく、
R2またはR3が、アリール、ベンジル、フェネチル、シクロアルキルまたは複素環である場合、これらは、NH2、F、Cl、CN、NO2、COOH、R4、COOR4、OR4、OCF3、SH、SR4、CONR4R5、SO2NR4R5、COR4、NR1COR4、OCOR4、SOR4、SO2R4および複素環から独立に選択される1つまたは複数の置換基により任意選択により置換されていてよく、
R2またはR3がシクロアルキルである場合、これは、1つまたは複数の縮合ベンゼン環により任意選択により置換されていてよく、前記ベンゼンは、アルキル、アルコキシドまたはハロゲンから独立に選択される1つまたは複数の置換基により任意選択により置換されていてよく、
R4およびR5は、独立に、H、C1〜4アルキル、アリール、ベンジル、フェネチル、C2〜4アルケニル、C2〜4アルキニル、C3〜10シクロアルキルおよび複素環から選択され、
任意選択により、R4およびR5は、互いに結合して3〜8員環を形成することができ、
R6、R7、R8およびR9は、独立に、H、OR4、FおよびClから選択され、
R10は、独立に、H、OH、F、C1〜4アルキル、COOR11、COR11、フェニル、ベンジル、ベンズヒドリル、C2〜4アルケニル、C2〜4アルキニル、C3〜10シクロアルキルおよび複素環から選択され、前記アルキル、フェニル、ベンジル、ベンズヒドリル、シクロアルキルまたは複素環は、NH2、F、Cl、NO2、COOH、COOR4、OR4、CF3、SH、SR4、CONR4R5、SO2NR4R5、COR4、NR1COR4、OCOR4、SOR4、SO2R4およびC1〜4アルキルから独立に選択される1つまたは複数の置換基により任意選択により置換されていてよく、
R11は、H、C1〜4アルキルおよびC3〜10シクロアルキルから選択される]。
【請求項２】
Yが、COおよびSO2から選択される、請求項1に記載の化合物。
【請求項３】
W1およびW2が、独立に、結合、SおよびNR1から選択される、請求項1に記載の化合物。
【請求項４】
R1がHである、請求項3に記載の化合物。
【請求項５】
Vが、-CO-T、-CS-Tおよび-SO2-Tから選択される、請求項1に記載の化合物。
【請求項６】
Vが、
【化４】
2012528836.tif 000004
から選択される、請求項1に記載の化合物。
【請求項７】
Tが、NR2R3、R2、OR2およびSR2から選択される、請求項1に記載の化合物。
【請求項８】
R2およびR3が、独立に、H、COR4、SO2R4、C1〜4アルキル、フェニル、ナフチル、ベンジル、フェネチル、C2〜4アルケニル、C3〜10シクロアルキルおよび複素環、特に、2-フラニル、2-チオフェニル、2-(1-メチルインドール)、キノリン、イソキノリンおよび2-ベンゾフラニルから選択される、請求項1に記載の化合物。
【請求項９】
R2およびR3が、独立に、C1〜4アルキルおよびC2〜4アルケニルから選択される、請求項8に記載の化合物。
【請求項１０】
R2およびR3が、F、OR4、NR4R5、COOR4、CONR4R5、フェニル、C3〜10シクロアルキル、ヘキセニル、ナフチルおよび複素環、特に、ピリジン、3-(1-メチルインドール)、3-チオフェニルおよび2-フラニルから独立に選択される1つまたは複数の置換基により任意選択により置換されている、請求項9に記載の化合物。
【請求項１１】
R2およびR3が、独立に、フェニル、ベンジル、フェネチルおよびC3〜10シクロアルキルから選択される、請求項8に記載の化合物。
【請求項１２】
R6、R7、R8およびR9が、独立に、H、OR4、FおよびClから選択され、R10が、独立に、H、OH、F、C1〜4アルキル、COOR11、COR11、フェニル、ベンジルおよびベンズヒドリルから選択される、請求項1に記載の化合物。
【請求項１３】
sが1であり、pが0である、請求項1から12のいずれかに記載の化合物。
【請求項１４】
11-β-HSD1関連障害によって引き起こされる疾患の予防または治療を意図した医薬品の製造のための、請求項1から13のいずれかに記載の化合物の使用。
【請求項１５】
11-β-HSD1関連障害によって引き起こされる前記疾患が、緑内障、眼圧上昇、代謝性障害、肥満、メタボリック症候群、脂質異常症、高血圧、糖尿病、アテローム性動脈硬化症、クッシング症候群、乾癬、関節リウマチ、認知障害、アルツハイマー病または神経変性である、請求項14に記載の使用。
【請求項１６】
11-β-HSD1関連障害によって引き起こされる前記疾患が、緑内障またはメタボリック症候群である、請求項14に記載の使用。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
部分フッ素化および／または過フッ素化されたメディエイタおよび少なくとも１種の支持電解質の存在下で、ＯＨ基が芳香族化合物と直接結合している単核または二核の置換ｏ−アルコキシアリールアルコールを陽極脱水素二量化し、かつ、前記置換ｏ−アルコキシアリールアルコールが、式Ｉの単核または式ＩＩの二核
【化１】
2012528825.tif 000001
の置換ｏ−アルコキシアリールアルコールであって、かつ、置換基として、独立してＣ１〜Ｃ１０−アルキル基、ハロゲン基、酸素または硫黄によって中断されたアルキレン基またはアリーレン基、Ｃ１〜Ｃ１０−アルコキシカルボキシル基、ニトリル基、ニトロ基ならびにＣ１〜Ｃ１０−アルコキシカルバモイル基から成る群から選択されるＲ１〜Ｒ６を有していてもよい、非対称性ビアリールアルコールの製造方法。
【請求項２】
使用された単核または二核の置換ｏ−アルコキシアリールアルコールが同一である、請求項１に記載の方法。
【請求項３】
二量化が、単核または二核の置換ｏ−アルコキシアリールアルコールの一方のアルコール基に対してｏ−位で、かつ他方のアルコール基に対してｍ−位で生じる、請求項１または２に記載の方法。
【請求項４】
使用されたメディエイタが、部分フッ素化および／または過フッ素化されたアルコールであるか、および／または部分フッ素化および／または過フッ素化された酸である、請求項１から３までのいずれか１項に記載の方法。
【請求項５】
メディエイタとして１，１，１，３，３，３−ヘキサフルオロイソプロパノールおよび／またはトリフルオロ酢酸を使用する、請求項１から４までのいずれか１項に記載の方法。
【請求項６】
支持電解質として、アルカリ金属塩、アルカリ土類金属塩、テトラ（Ｃ１〜Ｃ６−アルキル）アンモニウム塩から成る群から選択されたものを使用する、請求項１から５までのいずれか１項に記載の方法。
【請求項７】
支持電解質の対イオンが、硫酸イオン、硫酸水素イオン、アルキル硫酸イオン、アリール硫酸イオン、ハロゲン化物イオン、リン酸イオン、炭酸イオン、アルキルリン酸イオン、アルキル炭酸イオン、硝酸イオン、アルコラートイオン、テトラフルオロホウ酸イオン、ヘキサフルオロリン酸イオンおよび過塩素酸イオンから成る群から選択される、請求項１から６までのいずれか１項に記載の方法。
【請求項８】
電気分解のためにさらなる溶剤を使用しない、請求項１から７までのいずれか１項に記載の方法。
【請求項９】
ニッケル陰極を使用する、請求項１から８までのいずれか１項に記載の方法。
【請求項１０】
電気分解のためにフローセルを使用する、請求項１から９までのいずれか１項に記載の方法。
【請求項１１】
１〜１０００ｍＡ／ｃｍ２の電流密度を使用する、請求項１から１０までのいずれか１項に記載の方法。
【請求項１２】
電気分解を−２０〜１００℃の温度および常圧で実施する、請求項１から１１までのいずれか１項に記載の方法。
【請求項１３】
単核または二核の置換ｏ−アルコキシアリールアルコールとして、４−メチル−グアイアコールを使用する、請求項１から１２までのいずれか１項に記載の方法。
【請求項１４】
陽極が、グラファイト電極、炭素材料電極およびホウ素ドープされたダイアモンド電極からなる群から選択される、請求項１から１３までのいずれか１項に記載の方法。
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
一般式（Ｉ）
Thr-Lys-Pro-Arg-Pro-Gly-Pro
を有するヘプタペプチドを含む、哺乳動物において生殖、性的、または繁殖機能を刺激するための医薬。
【請求項２】
前記哺乳動物は、器質障害または疾患によって生じたものではない性機能障害、性的魅力の欠如または喪失、性交に対する嫌悪、性的快感の欠如、およびオルガズム障害からなる群から選択される状態を有する、請求項１に記載の医薬。
【請求項３】
前記哺乳動物はヒトである、請求項１または２に記載の医薬。
【請求項４】
哺乳動物において生殖、性的、または繁殖機能を刺激するための医薬の調製における、一般式（Ｉ）
Thr-Lys-Pro-Arg-Pro-Gly-Pro
を有するヘプタペプチドの使用。
【請求項５】
前記哺乳動物は、器質障害または疾患によって生じたものではない性機能障害、性的魅力の欠如または喪失、性交に対する嫌悪、性的快感の欠如、およびオルガズム障害からなる群から選択される状態を有する、請求項４に記載の使用。
【請求項６】
前記哺乳動物はヒトである、請求項４または５に記載の使用。
【請求項７】
一般式（Ｉ）
Thr-Lys-Pro-Arg-Pro-Gly-Pro
を有するヘプタペプチドを含む、哺乳動物において生殖、性的、または繁殖機能を刺激するための組成物。
【請求項８】
前記哺乳動物は、器質障害または疾患によって生じたものではない性機能障害、性的魅力の欠如または喪失、性交に対する嫌悪、性的快感の欠如、およびオルガズム障害からなる群から選択される状態を有する、請求項７に記載の組成物。
【請求項９】
前記哺乳動物はヒトである、請求項７または８に記載の組成物。
【請求項１０】
一般式（Ｉ）
Thr-Lys-Pro-Arg-Pro-Gly-Pro
を有するヘプタペプチドを、哺乳動物に投与することを含む、
前記哺乳動物において生殖、性的、または繁殖機能を刺激するための非治療的方法。
【請求項１１】
前記哺乳動物は、器質障害または疾患によって生じたものではない性機能障害、性的魅力の欠如または喪失、性交に対する嫌悪、性的快感の欠如、およびオルガズム障害からなる群から選択される状態を有する、請求項１０に記載の非治療的方法。
【請求項１２】
前記哺乳動物はヒトである、請求項１０または１１に記載の非治療的方法。
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
ＰＥＧ−脂質コンジュゲートを含む化学組成物であって、当該ＰＥＧ−脂質コンジュゲートは：
グリセロール骨格と；
グリセロール骨格に共有結合している脂質基と；及び
グリセロール骨格に共有結合しているＰＥＧ鎖とを含み、当該ＰＥＧ鎖は、２００乃至１２００ダルトンの分子量を有し、前記組成物中の前記コンジュゲートの７５％を超えるＰＥＧ鎖が同じ分子量を有すること特徴とする化学組成物。
【請求項２】
請求項１に記載の組成物において、当該組成物中の、前記コンジュゲートの９０％を超える前記ＰＥＧ鎖が同じ分子量を有すことを特徴とする組成物。
【請求項３】
請求項２に記載の組成物において、前記ＰＥＧ鎖は６００ダルトンを超える分子量を有することを特徴とする組成物。
【請求項４】
請求項１に記載の組成物において、前記脂質がアルキル基であることを特徴とする組成物。
【請求項５】
請求項４に記載の組成物において、前記アルキル基が表１及び表２に記載のアルキル基から選択されることを特徴とする組成物。
【請求項６】
請求項１に記載の組成物が、更にグリセロール骨格に共有結合している第２の脂質を含むことを特徴とする組成物。
【請求項７】
請求項６に記載の組成物において、前記第２の脂質がアルキル基であることを特徴とする組成物。
【請求項８】
請求項７に記載の組成物において、前記アルキル基が表１及び表２に記載のアルキル基から選択されることを特徴とする組成物。
【請求項９】
請求項６に記載の組成物において、前記脂質が胆汁酸であることを特徴とする組成物。
【請求項１０】
請求項７に記載の組成物において、前記胆汁酸は表４から選択される胆汁酸であることを特徴とする組成物。
【請求項１１】
請求項６に記載の組成物において、前記脂質がコレステロールであることを特徴とする組成物。
【請求項１２】
請求項１に記載の組成物が、更に前記グリセロール骨格と前記ＰＥＧ鎖の間にリンカー基を含むことを特徴とする組成物。
【請求項１３】
請求項１２に記載の組成物において、前記リンカーが−Ｓ−、−Ｏ−、−Ｎ−、−ＯＣＯＯ−及び表３の当該リンカーから成る群から選択されることを特徴とする組成物。
【請求項１４】
請求項１に記載の組成物が、更に当該グリセロール骨格に結合している第２のＰＥＧ鎖を含むことを特徴とする組成物。
【請求項１５】
請求項１に記載の組成物において、前記グリセロール骨格と、前記ＰＥＧ鎖間の結合が  −Ｏ−Ｃ（Ｏ）−、−Ｏ−、−Ｓ−及び−ＮＨ−Ｃ（Ｏ）−から成る群から選択されることを特徴とする組成物。
【請求項１６】
請求項１に記載の組成物において、前記グリセロール骨格と、前記ＰＥＧ鎖の間の結合が表３から選択されることを特徴とする組成物。
【請求項１７】
ＰＥＧ−脂質コンジュゲートと；
活性剤と；を含むリポソームであって、
前記コンジュゲートが、グリセロール骨格と；当該グリセロール骨格に共有結合した脂質基と；前記グリセロール骨格に供給結合したＰＥＧ鎖と；を含み、前記ＰＥＧ鎖が２００乃至１２００ダルトンの分子量を有すると共に、この組成物中のコンジュゲート分子の約７５％以上のＰＥＧ鎖が同じ分子量を有する、
ことを特徴とするリポソーム。
【請求項１８】
請求項１７に記載のリポソームにおいて、前記活性剤がシクロスポリンであることを特徴とするリポソーム。
【請求項１９】
請求項１７に記載のリポソームにおいて、前記活性剤がプロポフォールであることを特徴とするリポソーム。
【請求項２０】
請求項１７に記載のリポソームにおいて、前記活性剤がドセタキセルであることを特徴とするリポソーム。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2012528858.tif 000001
式中：
【化２】
2012528858.tif 000002
は、単結合または二重結合を示し；
Ｒ１は、環式もしくは非環式の、置換もしくは非置換の、分枝状もしくは非分枝状の脂肪族基；環式もしくは非環式の、置換もしくは非置換の、分枝状もしくは非分枝状のヘテロ脂肪族基；置換もしくは非置換のアリール；置換もしくは非置換のヘテロアリール；置換もしくは非置換の分枝状もしくは非分枝状アリールアルキル；または置換もしくは非置換の、分枝状もしくは非分枝状のヘテロアリールアルキルであり；
Ｒ２およびＲ３は、独立して水素；環式もしくは非環式の、置換もしくは非置換の、分枝状もしくは非分枝状の脂肪族基；環式もしくは非環式の、置換もしくは非置換の、分枝状もしくは非分枝状のヘテロ脂肪族基；置換もしくは非置換の、分枝状もしくは非分枝状のアシル；置換もしくは非置換のアリール；置換もしくは非置換のヘテロアリール；置換もしくは非置換の、分枝状もしくは非分枝状のアリールアルキル；置換もしくは非置換の、分枝状もしくは非分枝状のヘテロアリールアルキル；−Ｃ（＝Ｏ）ＲＢ；−ＳＯＲＢ；−ＳＯ２ＲＢ；または−Ｃ（ＲＢ）３であり；ここで、ＲＢの各々の存在は、独立して水素；ハロゲン；保護基；脂肪族基；ヘテロ脂肪族基；アシル；アリール；ヘテロアリール；ヒドロキシル；アルコキシ；アリールオキシ；アミノ；アルキルアミノ；ジアルキルアミノ；またはヘテロアリールオキシであり；あるいは
Ｒ２およびＲ３は、随意に、介在する窒素と一緒になって、飽和の、または不飽和の、置換されているか、または非置換の複素環部分を形成してもよく；
Ｒ４は、水素、Ｃ１〜６脂肪族または保護基であり；
Ｒ５は、水素、Ｃ１〜６脂肪族または保護基であり；
Ｒ６は、水素；ハロゲン；環式もしくは非環式の、置換もしくは非置換の、分枝状もしくは非分枝状の脂肪族基；環式もしくは非環式の、置換もしくは非置換の、分枝状もしくは非分枝状のヘテロ脂肪族基；置換もしくは非置換の、分枝状もしくは非分枝状のアシル；置換もしくは非置換の、分枝状もしくは非分枝状のアリール；置換もしくは非置換の、分枝状もしくは非分枝状のヘテロアリール；−ＯＲＦ；−Ｃ（＝Ｏ）ＲＦ；−ＣＯ２ＲＦ；−Ｃ（＝Ｏ）Ｎ（ＲＦ）２；−ＣＮ；−ＳＣＮ；−ＳＲＦ；−ＳＯＲＦ；−ＳＯ２ＲＦ；−ＮＯ２；−Ｎ（ＲＦ）２；−ＮＨＣ（Ｏ）ＲＦ；または−Ｃ（ＲＦ）３であり；ここで、ＲＦの各々の存在は、独立して水素；ハロゲン；保護基；脂肪族基；ヘテロ脂肪族基；アシル；アリール部分；ヘテロアリール；ヒドロキシ；アルコキシ；アリールオキシ；アルキルチオキシ；アリールチオキシ；アミノ；アルキルアミノ；ジアルキルアミノ；ヘテロアリールオキシ；またはヘテロアリールチオキシであり；また
ｎは、０、１、２または３である、
で表される化合物またはその薬学的に許容し得る塩。
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
（ａ）酸化クロム（ＩＩＩ）と２，３，３，３−テトラフルオロプロペンおよび１００部当り２０部未満の１，１，１，２，２−ペンタフルオロプロパンを含んでなる製造混合物を製造するのに有効な量のアルカリ金属とからなる脱フッ化水素処理触媒の存在下、１，１，１，２，３−ペンタフルオロプロパンを脱フッ化水素処理すること；および（ｂ）（ａ）において製造された前記製造混合物から前記２，３，３，３−テトラフルオロプロペンを回収すること、を含んでなる２，３，３，３−テトラフルオロプロペンの製造方法。
【請求項２】
２，３，３，３−テトラフルオロプロペンを含んでなる前記製造混合物が、モル基準で１００部当り１０部未満の１，１，１，２，２−ペンタフルオロプロパンを含んでなる請求項１に記載の方法。
【請求項３】
前記脱フッ化水素処理触媒が、前記触媒の表面上に配された０．１％から２％のアルカリ金属を含んでなる請求項１に記載の方法。
【請求項４】
前記脱フッ化水素処理触媒が、前記触媒の表面上に配された０．１％から１％のカリウムを含んでなる請求項１に記載の方法。
【請求項５】
前記脱フッ化水素処理触媒が、前記触媒の粒子全体にわたって分散された０．５％から２％のアルカリ金属を含んでなる請求項１に記載の方法。
【請求項６】
前記触媒の温度が、２５０℃から３５０℃の設定値に維持される請求項１に記載の方法。
【手続補正２】
【補正対象書類名】明細書
【補正対象項目名】００６１
【補正方法】変更
【補正の内容】
【００６１】
一定の特徴を明確にするため、本明細書で別個の実施形態の文脈において記載されているが、一つの実施形態において組み合わせて提供し得ることを認識すべきである。逆に、簡潔にするために一つの実施形態の文脈において記載されている種々の特徴は、別個にまたは任意の副次的組み合わせにおいても提供し得る。さらに、範囲で述べられた値の言及は、その範囲内の各値および全ての値を含んでいる。
本発明は以下の実施の態様を含むものである。
１．（ａ）酸化クロム（ＩＩＩ）と２，３，３，３−テトラフルオロプロペンおよび１００部当り２０部未満の１，１，１，２，２−ペンタフルオロプロパンを含んでなる製造混合物を製造するのに有効な量のアルカリ金属とからなる脱フッ化水素処理触媒の存在下、１，１，１，２，３−ペンタフルオロプロパンを脱フッ化水素処理すること；および（ｂ）（ａ）において製造された前記製造混合物から前記２，３，３，３−テトラフルオロプロペンを回収すること、を含んでなる２，３，３，３−テトラフルオロプロペンの製造方法。
２．２，３，３，３−テトラフルオロプロペンを含んでなる前記製造混合物が、モル基準で１００部当り１０部未満の１，１，１，２，２−ペンタフルオロプロパンを含んでなる前記１．に記載の方法。
３．前記脱フッ化水素処理触媒が、前記触媒の表面上に配された０．１％から２％のアルカリ金属を含んでなる前記１．に記載の方法。
４．前記脱フッ化水素処理触媒が、前記触媒の表面上に配された０．１％から１％のアルカリ金属を含んでなる前記１．に記載の方法。
５．前記脱フッ化水素処理触媒が、前記触媒の表面上に配された０．１％から１％のカリウムを含んでなる前記１．に記載の方法。
６．前記脱フッ化水素処理触媒が、前記触媒の粒子全体にわたって分散された０．５％から２％のアルカリ金属を含んでなる前記１．に記載の方法。
７．前記脱フッ化水素処理触媒が、０．１％から３％のホウ素と少なくとも３０００ｐｐｍのアルカリ金属とを含んでなる前記１．に記載の方法。
８．前記脱フッ化水素処理触媒が、０．５％から２％のホウ素と少なくとも３０００ｐｐｍのナトリウムとを含んでなる前記１．に記載の方法。
９．前記脱フッ化水素処理触媒が、０．５５％から２％のホウ素と少なくとも１０００ｐｐｍのカリウムとを含んでなる前記１．に記載の方法。
１０．前記触媒の温度が、２５０℃から３５０℃の設定値に維持される前記１．に記載の方法。
１１．前記触媒の温度が、２５０℃から３００℃の設定値に維持される前記８．に記載の方法。